(57)【要約】【課題】光ファイバ接続切替盤などのように多数の光ファイバの接続部を構成するものにおいて、そのコンパクト化が図られる光ファイバ配線板を提供する。【解決手段】光ファイバ配線板２００は、複数の開口部２２３が形成された基板２２１と、各々、一方のファイバ端部２２２ａが複数の開口部２２３から露出するように基板２２１に布線された複数の光ファイバ２２２と、を備える。【選択図】図３
2004246072.tif 000002
【特許請求の範囲】
【請求項１】
複数の開口部が形成された基板と、
各々、一方のファイバ端部が上記複数の開口部のいずれかから露出するように上記基板に布線された複数の光ファイバと、
を備えた光ファイバ配線板。
【請求項２】
請求項１に記載された光ファイバ配線板において、
上記基板は、可撓性を有する材料で形成されている、光ファイバ配線板。
【請求項３】
請求項１に記載された光ファイバ配線板において、
上記開口部に露出した光ファイバのファイバ端部は、上記基板に一体に設けられていると共に、該開口部の縁からその内側に張り出すように形成され、且つ可撓性を有する材料からなる舌片で構成されたストレインリリーフにその長さ方向に沿って布線されている、光ファイバ配線板。
【請求項４】
請求項３に記載された光ファイバ配線板において、
上記基板は、可撓性を有する材料で形成されており、
上記ストレインリリーフは、上記基板から切り出されたもので構成されている、光ファイバ配線板。
【請求項５】
請求項４に記載された光ファイバ配線板において、
上記ストレインリリーフは、上記開口部の最大径の方向に延びるように形成されている、光ファイバ配線板。
【請求項６】
請求項４に記載された光ファイバ配線板において、
上記ストレインリリーフは、渦巻き状に形成されている、光ファイバ配線板。
【請求項７】
請求項４に記載された光ファイバ配線板において、
上記基板は、上記ストレインリリーフの基端部の両側に該ストレインリリーフの延びる方向に沿った切れ込みが設けられている、光ファイバ配線板。
【請求項８】
請求項１乃至７のいずれかに記載された光ファイバ配線板を備えた、光ファイバ接続切替盤。
【請求項９】
請求項８に記載された光ファイバ接続切替盤において、
接続部が１００箇所以上設けられている、光ファイバ接続切替盤。
【発明の詳細な説明】
【０００１】
【発明の属する技術分野】
本発明は、光ファイバ配線板、及び、それを備えた光ファイバ接続切替盤に関する。
【０００２】
【従来の技術】
光ファイバ接続切替盤は、光ファイバの経路切替を行うために使用されるものである。図９及び１０に示すように、一般に、光ファイバ接続切替盤２００は、ケーシング１００内に設けられ、また、マトリクス状にコネクタ受２１２が配設された切替盤本体２１１を有しており、ケーシング１００内に配索された多数の内部光ファイバ心線５０のそれぞれがその先端に取り付けられた内部コネクタ４０により所定のコネクタ受２１２に内側から接続されていると共に、様々なところから配索されてきた外部光ファイバ心線３０がその先端に取り付けられた外部コネクタ２０により所定のコネクタ受２１２に外側から接続された構成となっている。
【０００３】
このような光ファイバ接続切替盤は、通信装置室に設置されて信号の出口を構成するものであり、小型のもので数端子、大型のものでは数千端子を有する。具体的には、電話局の加入者接続盤やオフィスビルのＬＡＮ（Ｌｏｃａｌ  Ａｒｅａ  Ｎｅｔｗｏｒｋ）ケーブル接続盤などを挙げることができる。今後、ＦＴＴＨ（Ｆｉｂｅｒ  Ｔｏ  ＴＨＥ  Ｈｏｍｅ）などの普及によってセンター局での光ファイバ数が多くなることが見込まれ、それらの配線処理のためにより大型の光ファイバ接続切替盤が必要となる。
【０００４】
特許文献１には、本体部とそこから延びる複数のタブとを有する可撓性のある基板と、複数の光ファイバと、タブの端部に配置され、光ファイバを接続可能に終端する光ファイバ終端手段とを有する光学相互接続装置において、各光ファイバは、一方の端部がタブの端部から突出し、他方の端部が別のタブに延びるようにして基板に取り付けられているものが開示されている。そして、これによれば、回路パッケージの間に容易に光学接続を形成でき、欠陥のある光ファイバを容易に新たな光ファイバに置換できる、と記載されている。
【０００５】
また、光ファイバ接続切替盤を開示するものではないが、特許文献２には、少なくとも２枚の可撓性プラスチックフィルム間に複数本の光ファイバが配線された状態で固定されているフレキシブル光ファイバシートを備えた光ファイバ配線シートであって、複数本の光ファイバの一方の端末に単心のコネクタが接続され、他方の端末に多心のコネクタが接続されたものが開示されている。そして、これによれば、光信号の集合、分岐配線が容易であり、誤配線を防止できまたや配線ペース密度を大きくできる、と記載されている。
【０００６】
【特許文献１】
特許第２５７４６１１号公報
【特許文献２】
特開２００１−１３３６３９号公報
【０００７】
【発明が解決しようとする課題】
ところで、大型の光ファイバ接続切替盤の内側では、多数の光ファイバが無秩序に配索されるため、それらを収容するために大きなスペースが必要となる。特に、光ファイバケーブルが配索されるような場合には、そのケーブル被覆樹脂の占める割合が非常に大きいため顕著となる。今後、光ファイバ接続切替盤のさらなる大型化が進むことを考慮すれば、そのコンパクト化が望まれる。
【０００８】
本発明は、かかる点に鑑みてなされたものであり、その目的とするところは、光ファイバ接続切替盤などのように多数の光ファイバの接続部を構成するものにおいて、そのコンパクト化を図ることができる光ファイバ配線板及びそれを備えた光ファイバ接続切替盤を提供することにある。
【０００９】
【課題を解決するための手段】
上記の目的を達成する本発明に係る光ファイバ配線板は、
複数の開口部が形成された基板と、
各々、一方のファイバ端部が上記複数の開口部のいずれかから露出するように上記基板に布線された複数の光ファイバと、
を備える。
【００１０】
上記の構成によれば、光ファイバのファイバ端部が露出した基板の各開口部が１つの接続ユニットを構成し、しかも、光ファイバが基板に布線されているので、従来のように無秩序に配索された多数の光ファイバを収容するための大きなスペースは必要でなく、隙間状のスペースが確保されれば収容が可能であることから、光ファイバ接続切替盤などの多数の光ファイバの接続部を構成するものにおいて、そのコンパクト化を図ることができる。
【００１１】
ここで、上記光ファイバには、コア及びクラッドからなる光ファイバ素線、光ファイバ素線が被覆層で被覆された光ファイバ心線、光ファイバ心線が複数本集められて構成された光ファイバケーブルのいずれの概念も含まれる。
【００１２】
本発明に係る光ファイバ配線板は、上記基板が可撓性を有する材料で形成されているものであってもよい。
【００１３】
上記の構成によれば、基板が可撓性を有するので、収容スペースの形状に応じて変形させることが可能であり、ハンドリング性がよいものとなる。具体的には、樹脂シートや金属シート等を挙げることができる。
【００１４】
本発明に係る光ファイバ配線板は、上記開口部に露出した光ファイバのファイバ端部が、上記基板に一体に設けられていると共に、該開口部の縁からその内側に張り出すように形成され、且つ可撓性を有する材料からなる舌片で構成されたストレインリリーフにその長さ方向に沿って布線されているものであってもよい。
【００１５】
開口部から光ファイバのファイバ端部がそのまま露出していたのでは、それに直接的に外力が作用すると過大な歪みが加わって破損に繋がる虞がある。しかしながら、上記の構成によれば、光ファイバのファイバ端部がストレインリリーフに布線されているので、ファイバ端部が補強され、外力が作用してもファイバ端部に過大な歪みが加わるのを防ぐことができる。
【００１６】
本発明に係る光ファイバ配線板は、上記基板が可撓性を有する材料で形成されており、上記ストレインリリーフが上記基板から切り出されたもので構成されているものであってもよい。
【００１７】
上記の構成によれば、基板に開口部を形成するのと同時にストレインリリーフを形成することができる。
【００１８】
その場合、本発明に係る光ファイバ配線板は、上記ストレインリリーフが、上記開口部の最大径の方向に延びるように形成されているものであってもよい。
【００１９】
上記の構成によれば、ストレインリリーフを長くとることができるので、高い自由度でファイバ端部の引き回しを行うことができる。
【００２０】
また、本発明に係る光ファイバ配線板は、上記ストレインリリーフが、渦巻き状に形成されているものであってもよい。
【００２１】
上記の構成によれば、開口部の最大径の方向に延びるように形成されたストレインリリーフよりもさらに長いストレインリリーフをとることができるので、より高い自由度でファイバ端部の引き回しを行うことができる。
【００２２】
本発明に係る光ファイバ配線板は、上記基板が、上記ストレインリリーフの基端部の両側に該ストレインリリーフの延びる方向に沿った切れ込みが設けられているものであってもよい。
【００２３】
開口部の大きさを大きくすればストレインリリーフを長くとることができるが、それでは基板の強度が低いものとなってしまう。しかしながら、上記の構成によれば、基板には、ストレインリリーフの基端部の両側にストレインリリーフの延びる方向に沿った切れ込みが設けられているので、開口部の大きさを大きくすることなくストレインリリーフを長くとることができる。
【００２４】
本発明に係る光ファイバ配線板は、光ファイバ接続切替盤などのように多数の光ファイバの接続部を構成するものに適用することができる。光ファイバ接続切替盤のコンパクト化という観点からは、特に、接続部が１００箇所以上設けられている大型のものに有効である。
【００２５】
【発明の実施の形態】
以下、本発明の実施形態を図面に基づいて詳細に説明する。
【００２６】
（実施形態１）
図１及び２は、本発明の実施形態１に係る光ファイバ接続切替盤２００を示す。図３〜５は、光ファイバ配線板２２０を示す。この光ファイバ接続切替盤２００は、光ファイバ心線の管理等を行うセンター局等に設けられ、外部コネクタ２０が取り付けられた外部光ファイバ心線３０の経路切替のために用いられるものである。
【００２７】
この光ファイバ接続切替盤２００は、横長で且つ奥行きの短い直方体状の前面が開口したケーシング１００に収容されており、フロントパネルを構成する切替盤本体２１１と、その切替盤本体２１１の裏面側に設けられた光ファイバ配線板２２０と、を備えている。
【００２８】
切替盤本体２１１は、金属等の剛性を有する材料からなり、ケーシング１００の開口と略同形状に形成され、ケーシング１００には前面側から嵌め入れるように設けられている。切替盤本体２１１には、盤面に四角格子のマトリクスを構成するようにコネクタ受２１２が配設されている。コネクタ受２１２は、切替盤本体２１１の盤面に対して垂直に設けられている。
【００２９】
光ファイバ配線板２２０は、基板２２１と、基板２２１に布線された複数の光ファイバ心線２２２と、基板２２１上の光ファイバ心線２２２を被覆するカバーシート２２８と、を備えている。
【００３０】
基板２２１は、樹脂シートや金属シートの基板本体２１２ａの表面に粘着層２２１ｂを有してなり、切替盤本体２１１と略同形状に形成され、四隅に設けられたビス穴２２６にビス１０が通されて切替盤本体２１１の裏面側に切替盤本体２１１に対向するように設けられている。切替盤本体２１１への取付の作業性等考慮すれば、この基板２２１は透明のものであることが好ましい。基板２２１には、切替盤本体２１１のコネクタ受２１２に対応して縦長の略長方形の開口部２２３が四角格子のマトリクスを構成するように形成されている。各開口部２２３の下辺の略中央からは、基板２２１から切り出された細長い短冊状の舌片が開口部２２３の内側に張り出しており、その舌片によって後述の光ファイバのファイバ端部２２２ａを補強するストレインリリーフ２２４が構成されている。このストレインリリーフ２２４は、基板２２１に開口部２２３を形成するのと同時に形成される。また、基板２２１には、ストレインリリーフ２２４の基端部の両側にストレインリリーフの延びる方向に沿った切り込み部２２５が設けられている。
【００３１】
光ファイバ心線２２２は、コア及びクラッドからなる石英製或いは樹脂製の光ファイバ素線を樹脂製の被覆層で被覆したものである。複数の光ファイバ心線２２２は、図３に示す基板２２１の右下に設けられた多心コネクタに光ファイバ心線束として接続されており、そこから基板２２１の短辺に沿って延びた後、開口部２２３の各行毎に分岐し、それぞれが開口部２２３の行間を基板２２１の長辺方向に沿って延び、各開口部２２３に１本の光ファイバ心線２２２のファイバ端部２２２ａが導かれるように、基板２２１に布線されている。なお、光ファイバは、識別のための色分けがなされていることが好ましい。
【００３２】
各ファイバ端部２２２ａは、ストレインリリーフ２２４にその長さ方向に沿って布線されており、先端に内部コネクタ２２７が取り付けられている。そして、内部コネクタ２２７は、切替盤本体２１１の対応するコネクタ受２１２に接続されている。このように、光ファイバ心線２２２のファイバ端部２２２ａが露出した基板２２１の各開口部２２３が１つの接続ユニットを構成している。なお、内部コネクタ２２７は、どのようなタイプのものであってもよく、コネクタハウジングの付いたものであってもコネクタハウジングの付いたコネクタフェルールのみのものであってもよい。しかしながら、内部コネクタ２２７は露出するものではないので、コンパクト化の観点からは後者が好ましい。
【００３３】
以上の構成の光ファイバ接続切替盤２００では、光ファイバ配線板２２０を備えており、その光ファイバ配線板２２０によれば、光ファイバ心線２２２のファイバ端部２２２ａが露出した基板２２１の各開口部２２３が１つの接続ユニットを構成し、しかも、光ファイバ心線２２２が基板２２１に布線されているので、従来のように無秩序に配索された多数の光ファイバ（光ファイバケーブルや光ファイバ心線）を収容するための大きなスペースは必要でなく、隙間状のスペースが確保されれば収容が可能であることから、これによって光ファイバ接続切替盤２００のコンパクト化が図られている。特に、切替盤本体２１１の裏面側にファイバ保護の観点から光ファイバケーブルが配索された従来の光ファイバ接続切替盤では、そのケーブル被覆樹脂の占める割合が非常に大きいためとりわけ大きなスペースが必要となるが、上記光ファイバ配線板２２０であれば、基板２２１に光ファイバ心線２２２が布線されているものであり、基板２２１への布線によってファイバ保護が図られると共に、光ファイバケーブルが用いられた従来のものと同等のものがはるかに小さいスペースに収容される。
【００３４】
また、基板２２１が可撓性を有する材料で形成されているので、ケーシング１００の収容スペースの形状に応じて変形させることが可能であり、ハンドリング性が優れる。
【００３５】
さらに、開口部２２３から光ファイバのファイバ端部２２２ａがそのまま露出していたのでは、それに直接的に外力が作用すると過大な歪みが加わって破損に繋がる虞があるところ、光ファイバ心線２２２のファイバ端部２２２ａがストレインリリーフ２２４に布線されているので、ファイバ端部２２２ａが補強され、外力が作用してもファイバ端部２２２ａに過大な歪みが加わるのが防がれる。
【００３６】
また、開口部２２３の大きさを大きくすればストレインリリーフ２２４を長くとることができるものの、それでは基板２２１の強度が低いものとなってしまうところ、ストレインリリーフ２２４の基端部の両側に切り込み部２２５が設けられているので、開口部２２３の大きさを大きくすることなくストレインリリーフ２２４が長いものとなっており、それによって自由度の高いファイバ端部２２２ａの引き回しを行うことができる。
【００３７】
（実施形態２）
図６は、本発明の実施形態２に係る光ファイバ配線板２２０を示す。なお、実施形態１のものと同一名称の部分は同一符号で示す。
【００３８】
この光ファイバ配線板２２０では、ストレインリリーフ２２４が開口部２２３の対角方向、すなわち、開口部２２３の最大径の方向に延びるように形成されている。その他の構成は、実施形態１と同一である。
【００３９】
この構成の光ファイバ配線板２２０によれば、ストレインリリーフ２２４を長くとることができるので、高い自由度でファイバ端部２２２ａの引き回しを行うことができる。
【００４０】
その他の作用・効果は実施形態１と同一である。
【００４１】
（実施形態３）
図７は、本発明の実施形態３に係る光ファイバ配線板２２０を示す。なお、実施形態１のものと同一名称の部分は同一符号で示す。
【００４２】
この光ファイバ配線板２２０では、ストレインリリーフ２２４が渦巻き状に形成されている。その他の構成は、実施形態１と同一である。
【００４３】
この構成の光ファイバ配線板２２０によれば、開口部２２３の最大径の方向に延びるように形成された実施形態２のストレインリリーフ２２４よりもさらに長いストレインリリーフ２２４をとることができるので、より高い自由度でファイバ端部２２２ａの引き回しを行うことができる。
【００４４】
その他の作用・効果は実施形態１と同一である。
【００４５】
（その他の実施形態）
上記実施形態１〜３では、コネクタ受２１２を切替盤本体２１１の盤面に対して垂直に設けたものとしたが、図８（ａ）に示すように、切替盤本体２１１の盤面に対して斜めに設けたものであってもよい。
【００４６】
上記実施形態１〜３では、コネクタ受２１２を切替盤本体２１１の盤面に対して四角格子を構成するように配設したものとしたが、特にこれに限定されるものではなく、図８（ｂ）に示すように、切替盤本体２１１の盤面に対して三角格子を構成する配設したものであってもよい。
【００４７】
上記実施形態１〜３では、各開口部２２３に１本の光ファイバ心線２２２のファイバ端部２２２ａが導かれたものとしたが、特にこれに限定されるものではなく、各開口部に複数本の光ファイバ心線のファイバ端部が導かれたものであってもよく、また、開口部毎に異なる本数の光ファイバ心線のファイバ端部が導かれたものであってもよい。開口部に複数本の光ファイバ心線のファイバ端部が導かれた場合、内部コネクタとしては多心用のものが用いられることとなる。
【００４８】
上記実施形態１〜３では、複数の光ファイバ心線２２２を基板２２１に設けられた多心コネクタに接続したものとしたが、特にこれに限定されるものではなく、他の光ファイバケーブル等とスプライス接続されていてもよい。
【００４９】
上記実施形態１〜３では、基板２２１に光ファイバ心線２２２を布線したものとしたが、特にこれに限定されるものではなく、光ファイバ素線や光ファイバケーブルが布線されたものであってもよい。
【００５０】
上記実施形態１〜３では、切替盤本体２１１に１枚の光ファイバ配線板２２０を設けた構成としたが、特にこれに限定されるものではなく、切替盤本体に複数枚の光ファイバ配線板を設けた構成としてもよい。
【００５１】
上記実施形態３では、ストレインリリーフ２２４が渦巻き状に形成されているものとしたが、光ファイバ心線２２２の許容曲げ半径の制限により単一の開口部２２３内で渦巻き状に形成できないような場合には、複数の開口部を合わせた大開口部を形成して複数のストレインリリーフを切り出し、複数の開口部に対応した複数の光ファイバ心線それぞれを各ストレインリリーフに布線したものとすればよい。
【００５２】
【発明の効果】
以上説明したように、本発明によれば、従来のように無秩序に配索された多数の光ファイバを収容するための大きなスペースは必要でなく、隙間状のスペースが確保されれば収容が可能であることから、光ファイバ接続切替盤などの多数の光ファイバの接続部を構成するものにおいて、そのコンパクト化を図ることができる。
【図面の簡単な説明】
【図１】実施形態１に係る光ファイバ接続切替盤を示す斜視図である。
【図２】実施形態１に係る光ファイバ接続切替盤の構成を示す説明図である。
【図３】実施形態１に係る光ファイバ配線板の斜視図である。
【図４】実施形態１に係る光ファイバ配線板の要部拡大図である。
【図５】図４におけるＶ−Ｖ断面図である。
【図６】実施形態２に係る光ファイバ配線板の要部拡大図である。
【図７】実施形態３に係る光ファイバ配線板の要部拡大図である。
【図８】（ａ）は、その他の実施形態に係る光ファイバ接続切替盤の構成を示す説明図である。（ｂ）は、その他の実施形態に係る光ファイバ接続切替盤の部分的な正面図である。
【図９】従来技術の光ファイバ接続切替盤を示す斜視図である。
【図１０】従来技術の光ファイバ接続切替盤の構成を示す説明図である。
【符号の説明】
１０  ビス
２０  外部コネクタ
３０  外部光ファイバ心線
４０  内部コネクタ
５０  内部光ファイバ心線
１００  ケーシング
２００  光ファイバ接続切替盤
２１１  切替盤本体
２１２  コネクタ受
２２０  光ファイバ配線板
２２１  基板
２２１ａ  基盤本体
２２１ｂ  粘着層
２２２  光ファイバ心線
２２２ａ  ファイバ端部
２２３  開口部
２２４  ストレインリリーフ
２２５  切り込み部
２２６  ビス穴
２２７  内部コネクタ
２２８  カバーシート
【図１】
2004246072.tif 000003
【図２】
2004246072.tif 000004
【図３】
2004246072.tif 000005
【図４】
2004246072.tif 000006
【図５】
2004246072.tif 000007
【図６】
2004246072.tif 000008
【図７】
2004246072.tif 000009
【図８】
2004246072.tif 000010
【図９】
2004246072.tif 000011
【図１０】
2004246072.tif 000012